(57)【要約】【課題】  車両に乗る人達全員が使用するシートベルト各個に、ハンマーとしての機能を有する打撃用部材を備え、緊急時に押しボタンを押してベルトを外すと同時に各人がベルトを振り回すようにして、打撃用部材を窓ガラスに打ち付けることで、窓ガラスを破壊して、車外に脱出することが出来る構成とした自動車用シートベルト装置の提供。【解決手段】  不測の事故等の緊急時において、車内に閉じ込められた場合、車内に居る各人が夫々自在に車の窓ガラスを破砕して車外に脱出するための打撃用部材４、４０を具備し、シートベルト１の本体を形成する帯紐と、該帯紐にスライド自在に設けられた挿入金具２と、該挿入金具２と嵌合して固定部となる受金具３とから成るシートベルト装置であって、前記打撃用部材４、４０は拳程度の大きさの立体成形物であって、各座席の夫々の前記挿入金具２に添設され、車内の各人が自在に扱えるようにしたことを特徴とする。【選択図】        図１
2005132136.tif 000002
【特許請求の範囲】
【請求項１】
不測の事故等の緊急時において、車内に閉じ込められた場合、車内に居る各人が夫々自在に車の窓ガラスを破砕して車外に脱出するための打撃用部材を具備し、シートベルトの本体を形成する帯紐と、該帯紐にスライド自在に設けられた挿入金具と、該挿入金具と嵌合して固定部となる受金具とから成るシートベルト装置であって、前記打撃用部材は拳程度の大きさの立体成形物であって、各座席の夫々の前記挿入金具に添設され、車内の各人が自在に扱えるようにしたことを特徴とする自動車用シートベルト装置。
【請求項２】
打撃用部材は、挿入金具に添設され、且つ周面に複数の突起物を任意に配設した剛体であって、前記突起物は先細りの錐体を成し、前記突起物の先端部は肌を刺激しない程度に小さな丸みを形成したことを特徴とする請求項１記載の自動車用シートベルト装置。
【請求項３】
打撃用部材は、無垢の剛体から成ることを特徴とする請求項１または２記載の自動車用シートベルト装置。
【請求項４】
打撃用部材は、挿入金具に添設され、且つ周面に複数の突起物を任意に配設したカプセル内に移動自在の錘体を封入して成ることを特徴とする請求項１または２記載の自動車用シートベルト装置。
【請求項５】
錘体は、粒体の集合と、１個〜数個の塊状物との二つの内の何れか一つを選択して成り、前記カプセル内を自由に移動可能な構成としたことを特徴とする請求項４記載の自動車用シートベルト装置。
【請求項６】
打撃用部材は、挿入金具と一体に成形したことを特徴とする請求項１乃至５何れかに記載の自動車用シートベルト装置。
【発明の詳細な説明】
【技術分野】
【０００１】
本発明は、自動車用シートベルト装置に関する。
【背景技術】
【０００２】
現在車両には、ＪＩＳ規格や、道路運送車両の保安基準等により規格化されたシートベルトが装備され、乗員等はこれらのシートベルトの着用が義務付けられている。
【０００３】
また現在、シートベルトの構成としては、乗員保護性能が優れ、かつ実用性も高く、最も多く用いられているタイプは腰ベルトと肩ベルトを組合わせた３点式シートベルトであり、使い易くするために肩ベルトと腰ベルトのベルト（帯紐）を連続させた方式が多い。
【０００４】
従来、車両が不測の事故に遭遇し車内に閉じ込められた場合、窓ガラスを破壊して脱出するためのハンマーに関する種々の提案がなされている。
【０００５】
１）「車両の緊急時において、乗員がシートベルトやガラスを自らの手で切断あるいは破壊できるようにして、ドアの開かない車両から脱出できるようにすると共に、平常時における格納に邪魔にならないような緊急脱出用ハンマーを提供する」という目的で、「ガラスを破壊するためのハンマー部を先端部に有した本体に中空部を形成しておき、この中空部内にハサミを収納した。」公報が開示されている（例えば、特許文献１参照。）。
【０００６】
２）シートベルトの切断及び窓ガラスの破壊が行えることは勿論、十分小型化することができて、安全性、操作性、及び機能性を十分確保することができ、更に使用者の感触を向上させることのできる緊急脱出用ハンマーを提供する」という目的で、「自動車のシートベルトを切断するためのカッター部と、開かなくなったドアの窓ガラスを破壊するためのハンマー部とを有する緊急脱出用刃付ハンマーであって、カッター部を外端部に支持する握り柄とハンマー部を外端部内側に支持するアーム部とを、その各内端部側にて一つの枢軸により折畳み自在に連結すると共に、握り柄の内側に、アーム部の一部とハンマー部とが収納される収納凹所を形成した。」公報が開示されている（例えば、特許文献２参照。）。
【特許文献１】特開平６−１７９１７９号公報
【特許文献２】特開平９−８５６４６号公報
【発明の開示】
【発明が解決しようとする課題】
【０００７】
然しながら上述の従来例は共に、車内の特定の場所にハンマーやハサミを格納しておいて使用するようになっており、とっさの場合問題がある。
【０００８】
本発明は、上述の点に着目して成されたもので、車両に乗る人達全員が使用するシートベルト各個に、ハンマーとしての機能を有する打撃用部材を備え、緊急時に押しボタンを押してベルトを外すと同時に各人がベルトを振り回すようにして、打撃用部材を窓ガラスに打ち付けることで、窓ガラスを破壊して、車外に脱出することが出来る構成とした自動車用シートベルト装置を提供することを目的とする。
【課題を解決するための手段】
【０００９】
本発明は、下記構成を備えることにより上記課題を解決できるものである。
【００１０】
（１）不測の事故等の緊急時において、車内に閉じ込められた場合、車内に居る各人が夫々自在に車の窓ガラスを破砕して車外に脱出するための打撃用部材を具備し、シートベルトの本体を形成する帯紐と、該帯紐にスライド自在に設けられた挿入金具と、該挿入金具と嵌合して固定部となる受金具とから成るシートベルト装置であって、前記打撃用部材は拳程度の大きさの立体成形物であって、各座席の夫々の前記挿入金具に添設され、車内の各人が自在に扱えるようにした自動車用シートベルト装置。
【００１１】
（２）打撃用部材は、挿入金具に添設され、且つ周面に複数の突起物を任意に配設した剛体であって、前記突起物は先細りの錐体を成し、前記突起物の先端部は肌を刺激しない程度に小さな丸みを形成した前項（１）記載の自動車用シートベルト装置。
【００１２】
（３）打撃用部材は、無垢の剛体から成る前項（１）または（２）記載の自動車用シートベルト装置。
【００１３】
（４）打撃用部材は、挿入金具に添設され、且つ周面に複数の突起物を任意に配設したカプセル内に移動自在の錘体を封入して成る前項（１）または（２）記載の自動車用シートベルト装置。
【００１４】
（５）錘体は、粒体の集合と、１個〜数個の塊状物との二つの内の何れか一つを選択して成り、前記カプセル内を自由に移動可能な構成とした前項（４）記載の自動車用シートベルト装置。
【００１５】
（６）打撃用部材は、挿入金具と一体に成形した前項（１）乃至（５）何れかに記載の自動車用シートベルト装置。
【発明の効果】
【００１６】
本発明は、車両に乗る人達全員が使用するシートベルト各個に、ハンマーとしての機能を有する打撃用部材を備えたことで、道具を探す手間を省き、乗員全員がそれぞれ自在に自分が使用していたシートベルトを外すと同時に各人がベルトを振り回すようにして、打撃用部材を窓ガラスに打ち付けることで、窓ガラスを破壊して、素早く車外に脱出することが出来る。
【発明を実施するための最良の形態】
【００１７】
本発明に係る実施の形態を以下に説明する。
【００１８】
図１は、実施例１における自動車用シートベルト装置の説明図、（ａ）は３点式シートベルトに取付けた場合の状態を示す図、（ｂ）は打撃用部材取付け部分の拡大斜視図、（ｃ）はＡ−Ａ断面図（その１）、（ｄ）はＡ−Ａ断面図（その２）、（ｅ）はＡ−Ａ断面図（その３）、図２は、実施例２における自動車用シートベルト装置の説明図、（ａ）は３点式シートベルトに取付けた場合の状態を示す図、（ｂ）は打撃用部材取付け部分の拡大斜視図、（ｃ）はＢ−Ｂ矢視一部破断図、図３は、打撃用部材の構成の一例を示す説明図、（ａ）は打撃用部材取付け状態を示す斜視図、（ｂ）はＣ−Ｃ断面図、図４（ａ）〜（ｈ）は打撃用部材の各種形状例を示す図、図５は、本発明に係る自動車用シートベルト装置の装着例を示す側面図、図６は、本発明に係る自動車用シートベルト装置を締めた状態の一例を示す正面図である。
【実施例１】
【００１９】
本実施例では、３点式シートベルトに取付けた場合を例として以下に説明する。
【００２０】
不測の事故等の緊急時において、車内に閉じ込められた場合、車内に居る各人が夫々自在に車の窓ガラスを破砕して車外に脱出するための打撃用部材４を具備し、シートベルトの本体を形成する帯紐（以下ベルトと称す）１と、該ベルト１にスライド自在に設けられた挿入金具２と、該挿入金具２と嵌合して固定部となる受金具３とから成るシートベルト装置であって、前記打撃用部材４は拳程度の大きさの立体成形物であって、各座席の夫々の前記挿入金具２に添設され、車内の各人が自在に扱えるようにしてある。
【００２１】
打撃用部材４は、挿入金具２に不図示の接続部材で添設され、且つ周面に複数の突起物４ａを任意に配設した剛体であって、前記突起物４ａは先細りの錐体を成し、前記突起物４ａの先端部は肌を刺激しない程度に小さな丸みを形成してある。
【００２２】
また、打撃用部材４は、図１（ｃ）のＡ−Ａ断面図（その１）に示すように無垢の金属等の剛体から成る構成としてある。
【００２３】
他の符号について、７はベルト通し穴である。
【００２４】
上述の構成に基いて作用を説明する。
【００２５】
自動車に乗っていて事故等に遭遇し、ドアが開かなくなって車内に閉じ込められるなどの緊急時において、複数の人間が乗っていた場合では、各人が自分で締めていたシートベルト１の挿入金具２に接続、固定されている受金具３の押しボタン３ａを押して挿入金具２ごとシートベルト１を外すことで、挿入金具２に添設された打撃用部材４をシートベルト１の図中イの付近（打撃用部材４から１５〜２０ｃｍ程度はなれた部位）を握って振り回し打撃用部材４を窓ガラスに打ち当てるようにすることで、窓ガラスを破壊、または破砕することが出来、容易に車外に脱出することが出来る。この時打撃用部材４の周面に設けた突起物４ａの先端部、または突起物４ａが設けてない場合は、比較的尖った断面の打撃用部材４の周面縁部が窓ガラスの面に当って破壊することが出来る（図４（ａ）、（ｂ）参照。）。
【００２６】
尚、突起物４ａの先端部は肌を刺激しない程度に小さな丸みを形成してあるので、シートベルト１の装着時でも、乗員の邪魔になったりすることはない。
【実施例２】
【００２７】
実施例２は、打撃用部材４０が、挿入金具２に不図示の接続部材で添設され、且つ周面に複数の突起物４ａを任意に配設した金属等の剛体でできたカプセル内に移動自在の錘体５、または６を封入した場合である（図１（ｄ）Ａ−Ａ断面図（その２）参照。）。
【００２８】
錘体５は、粒体をカプセル内に移動自在となるように複数封入しておくことによって、前述のようにシートベルト１を外した後、シートベルト１のイの付近を持って振り回すようにして打撃用部材４０が窓ガラスに打ち当った時、カプセル内に封入された粒体の集合となる錘体５が打撃方向に移動してその加速度が打撃力を倍化し、破壊効果を高めることが出来る。
【００２９】
また、図１（ｅ）Ａ−Ａ断面図（その３）に図示するように錘自体をやや大き目の塊状体として錘体６とし、この場合は個数を１個〜数個としておけば良く、錘体としては粒体の集合とするか、１個〜数個の塊状物とするか、二つの内の何れか一つを選択すれば良い。また、錘体５を形成する粒体の大きさは揃えた大きさとしても良く、不揃いであっても良い。錘体６を形成する塊状体の大きさについても、粒体の場合と同様、大きさを揃えても、特に揃えなくても良い。
【００３０】
錘体５、６の形状は断面が円形でも楕円形でもよく、要はカプセル内を移動し易く、転がり易い形状であれば良い。
【００３１】
以下図４について説明する。
【００３２】
図４（ａ）は、打撃用部材をやや偏平な楕円形状とした場合であり、（ａ−１）はシートベルト１に取付けた状態を示す斜視図であり、（ａ−２）は（ａ）の断面図、（ｂ）はやや偏平な円形状とした場合であり、（ｂ−１）はシートベルト１に取付けた状態を示す斜視図であり、（ｂ−２）は（ｂ）の断面図、+（ｃ）は半月形の形状とした場合の例、（ｄ）は変則半月形の例、（ｅ）は四角形状の例、（ｆ）は変則四角形状の例、（ｇ）は三叉形状の例、（ｈ）はクロス形状の例であり、（ｃ−１）、（ｄ−１）、（ｅ−１）、（ｆ−１）、（ｇ−１）、（ｈ−１）に示す図はそれぞれシートベルト１に取付けた状態を示す斜視図である。
【００３３】
尚、これらの各種形状の打撃用部材は、無垢の構造でも、またカプセル構造でもどちらを選択しても良い。
【００３４】
図５は、挿入金具と一体成形した打撃用部材４、４０を取付けたシートベルトを装着した例の側面図であり、図６は、挿入金具に添設した打撃用部材４、４０を取付けたシートベルトを締めた状態の一例を示す正面図である。
【００３５】
符号８は、シートベルトの巻取り装置である。
【産業上の利用可能性】
【００３６】
本発明は、車両に乗る人達全員が使用するシートベルト各個に、ハンマーとしての機能を有する打撃用部材を備えたことで、道具を探す手間を省き、乗員全員がそれぞれ自在に自分が使用していたシートベルトを外すと同時に各人がベルトを振り回すようにして、打撃用部材を窓ガラスに打ち付けることで、窓ガラスを破壊して、素早く車外に脱出することが出来る。
【図面の簡単な説明】
【００３７】
【図１】実施例１における自動車用シートベルト装置の説明図、（ａ）３点式シートベルトに取付けた場合の状態を示す図、（ｂ）打撃用部材取付け部分の拡大斜視図、（ｃ）Ａ−Ａ断面図（その１）、（ｄ）Ａ−Ａ断面図（その２）、（ｅ）Ａ−Ａ断面図（その３）
【図２】実施例２における自動車用シートベルト装置の説明図、（ａ）３点式シートベルトに取付けた場合の状態を示す図、（ｂ）打撃用部材取付け部分の拡大斜視図、（ｃ）Ｂ−Ｂ矢視一部破断図
【図３】打撃用部材の構成の一例を示す説明図、（ａ）打撃用部材取付け状態を示す斜視図、（ｂ）Ｃ−Ｃ断面図
【図４】（ａ）〜（ｈ）打撃用部材の各種形状例を示す図
【図５】本発明に係る自動車用シートベルト装置の装着例を示す側面図
【図６】本発明に係る自動車用シートベルト装置を締めた状態の一例を示す正面図
【符号の説明】
【００３８】
１  帯紐（ベルト）
１ａ  肩ベルト
１ｂ  腰ベルト
２  挿入金具
３  受金具
４、４０  打撃用部材
４ａ  突起物
５、６  錘体
７  ベルト通し穴
８  シートベルトの巻取り装置
【図１】
2005132136.tif 000003
【図２】
2005132136.tif 000004
【図３】
2005132136.tif 000005
【図４】
2005132136.tif 000006
【図５】
2005132136.tif 000007
【図６】
2005132136.tif 000008